【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
ストリームの再生を制御する情報処理装置において、
前記ストリームの主の再生パスとは異なる１つまたは複数の副の再生パスに基づいて再生可能な副のストリームをユーザが把握するための補助となる第１の表示画面を表示させるために必要な情報を取得する情報取得手段と、
前記情報取得手段により取得された前記第１の表示画面を表示させるために必要な情報を基に、前記第１の表示画面の表示を制御する表示制御手段と
を備え、
前記第１の表示画面は、前記主の再生パスにより再生される主のストリームの画像データをメイン画面とし、前記副の再生パスにより再生される前記副のストリームの画像データを前記メイン画面の中に含まれるサブ画面とした第２の表示画面を縮小したサムネイル画像を含む
情報処理装置。
【請求項２】
前記ユーザの操作入力を受ける操作入力取得手段と、
前記ストリームの再生を制御する所定のコマンドの発生を制御するコマンド発生手段と、
前記ストリームの再生を制御する再生制御手段と
を更に備え、
前記操作入力取得手段により、前記ユーザにより前記サムネイル画像のうちのいずれかが選択されたことを示す操作入力が取得された場合、前記コマンド発生手段は、選択された前記サムネイル画像に対応する前記副のストリームを前記第２の表示画面における前記サブ画面で再生させ、前記主のストリームを前記第２の表示画面における前記メイン画面で再生させるためのコマンドを発生し、
前記再生制御手段は、前記第２の表示画面における前記サブ画面での前記副のストリームの再生を制御するとともに、前記第２の表示画面における前記メイン画面での前記主のストリームの再生を制御する
請求項１に記載の情報処理装置。
【請求項３】
前記ストリームの再生に関する設定情報を保持する保持手段を更に備え、
前記コマンド発生手段は、前記保持手段により保持される前記設定情報を設定するためのコマンドを発生する
請求項２に記載の情報処理装置。
【請求項４】
前記コマンド発生手段は、前記保持手段により保持されている前記設定情報を設定するためのコマンドを発生した後、前記ストリームの再生を開始させるコマンドを発生する
請求項３に記載の情報処理装置。
【請求項５】
前記情報取得手段により取得された前記第１の表示画面を表示させるために必要な情報を基に、前記第１の表示画面に対応するデータを生成する処理を実行する第１の表示画面データ生成手段を更に備え、
前記第１の表示画面を表示させるために必要な情報は、前記第１の表示画面に対応する画像を描画する処理を実行させるプログラムであり、
前記第１の表示画面データ生成手段は、前記プログラムを実行することにより、前記第１の表示画面に対応するデータを生成する
請求項１に記載の情報処理装置。
【請求項６】
ストリームの再生を制御する情報処理装置の情報処理方法において、
前記ストリームの主の再生パスとは異なる１つまたは複数の副の再生パスに基づいて再生可能な副のストリームをユーザが把握するための補助となる第１の表示画面を表示させるために必要な情報の取得を制御し、
取得された前記第１の表示画面を表示させるために必要な情報を基に、前記主の再生パスにより再生される主のストリームの画像データをメイン画面とし、前記副の再生パスにより再生される前記副のストリームの画像データを前記メイン画面の中に含まれるサブ画面とした第２の表示画面を縮小したサムネイル画像を含む前記第１の表示画面の表示を制御する
ステップを含む情報処理方法。
【請求項７】
ストリームの再生を制御する処理を、コンピュータに実行させるプログラムにおいて、
前記ストリームの主の再生パスとは異なる１つまたは複数の副の再生パスに基づいて再生可能な副のストリームをユーザが把握するための補助となる第１の表示画面を表示させるために必要な情報の取得を制御し、
取得された前記第１の表示画面を表示させるために必要な情報を基に、前記主の再生パスにより再生される主のストリームの画像データをメイン画面とし、前記副の再生パスにより再生される前記副のストリームの画像データを前記メイン画面の中に含まれるサブ画面とした第２の表示画面を縮小したサムネイル画像を含む前記第１の表示画面の表示を制御する
ステップを含む処理をコンピュータに実行させるプログラム。
【請求項８】
再生装置において再生可能なストリームを含むデータ構造であって、
前記ストリームの主の再生パスと、前記主の再生パスとは異なる１つまたは複数の副の再生パスとを用いて前記ストリームの再生を管理する再生管理情報と、
前記主の再生パスに基づいて再生可能な主のストリームと、
前記副の再生パスに基づいて再生可能な副のストリームと、
前記副のストリームをユーザが把握するための補助となる第１の表示画面を表示させるために必要な情報と
を含み、
前記第１の表示画面は、前記主の再生パスにより再生される主のストリームの画像データをメイン画面とし、前記副の再生パスにより再生される前記副のストリームの画像データを前記メイン画面の中に含まれるサブ画面とした第２の表示画面を縮小したサムネイル画像を含む
データ構造。
【請求項９】
前記第１の表示画面を表示させるために必要な情報は、前記副のストリームに含まれるストリームデータのうちの、ビデオストリームおよびオーディオストリームとは異なるストリームである
請求項８に記載のデータ構造。
【請求項１０】
前記第１の表示画面を表示させるために必要な情報は、前記第１の表示画面に対応する画像を描画する処理を前記再生装置に実行させるプログラムである
請求項８に記載のデータ構造。
【請求項１１】
再生装置において再生可能なストリームを含むデータが記録された記録媒体であって、
前記ストリームの主の再生パスと、前記主の再生パスとは異なる１つまたは複数の副の再生パスとを用いて前記ストリームの再生を管理する再生管理情報と、
前記主の再生パスに基づいて再生可能な主のストリームと、
前記副の再生パスに基づいて再生可能な副のストリームと、
前記副のストリームをユーザが把握するための補助となる第１の表示画面を表示させるために必要な情報と
を含み、
前記第１の表示画面は、前記主の再生パスにより再生される主のストリームの画像データをメイン画面とし、前記副の再生パスにより再生される前記副のストリームの画像データを前記メイン画面の中に含まれるサブ画面とした第２の表示画面を縮小したサムネイル画像を含む
データが記録された記録媒体。
【請求項１２】
ストリームの再生を制御する情報処理装置において、
前記ストリームの主の再生パスとは異なる１つまたは複数の副の再生パスに基づいて再生可能な副のストリームをユーザが把握するための補助となる第１の表示画面を表示させるために必要な情報を取得する情報取得手段と、
前記情報取得手段により取得された前記第１の表示画面を表示させるために必要な情報を基に、前記第１の表示画面の表示を制御する表示制御手段と、
ユーザの操作入力を受ける操作入力取得手段と、
前記ストリームの再生を制御する所定のコマンドの発生を制御するコマンド発生手段と
を備え、
前記表示制御手段により表示が制御される前記第１の表示画面には、前記副のストリームに対応する情報が少なくとも１つ含まれるとともに、前記副のストリームに対応する情報には、メイン画面内にサブ画面が含まれる第２の表示画面において、前記副のストリームを前記サブ画面に再生させるとともに、前記主の再生パスに基づいて再生される主のストリームを前記メイン画面に再生させるためのコマンドが対応付けられ、
前記操作入力取得手段により、前記ユーザにより前記副のストリームに対応する情報のうちのいずれかが選択されたことを示す操作入力が取得された場合、前記コマンド発生手段は、前記ユーザにより選択された前記副のストリームに対応する情報に対応する前記副のストリームを前記第２の表示画面における前記サブ画面で再生させ、前記主のストリームを前記第２の表示画面における前記メイン画面で再生させるためのコマンドを発生する
情報処理装置。
【請求項１３】
前記ストリームの再生に関する設定情報を保持する保持手段を更に備え、
前記コマンド発生手段は、前記保持手段により保持される前記設定情報を設定するためのコマンドを発生する
請求項１２に記載の情報処理装置。
【請求項１４】
前記コマンド発生手段は、前記保持手段により保持されている前記設定情報を設定するためのコマンドを発生した後、前記ストリームの再生を開始させるコマンドを発生する
請求項１３に記載の情報処理装置。
【請求項１５】
前記第１の表示画面は、前記主の再生パスにより再生される前記主のストリームの再生時間軸に対応つけて、前記第２の表示画面の前記サブ画面に再生される前記副のストリームの再生タイミングをユーザに示す表示画面である
請求項１２に記載の情報処理装置。
【請求項１６】
前記第１の表示画面は、前記主の再生パスにより再生される前記主のストリームを構成する画像データのうちの少なくとも一部、および、前記副の再生パスにより再生される前記副のストリームを構成する画像データのうちの少なくとも一部を含む
請求項１２に記載の情報処理装置。
【請求項１７】
ストリームの再生を制御する情報処理装置の情報処理方法において、
前記ストリームの主の再生パスとは異なる１つまたは複数の副の再生パスに基づいて再生可能な副のストリームをユーザが把握するための補助となる第１の表示画面を表示させるために必要な情報の取得を制御し、
前記第１の表示画面を表示させるために必要な情報を基に、前記副のストリームに対応する情報が少なくとも１つ含まれるとともに、前記副のストリームに対応する情報には、メイン画面内にサブ画面が含まれる第２の表示画面において、前記副のストリームを前記サブ画面に再生させるとともに、前記主の再生パスに基づいて再生される主のストリームを前記メイン画面に再生させるためのコマンドが対応付けられている、前記第１の表示画面の表示を制御し、
前記ユーザにより前記副のストリームに対応する情報のうちのいずれかが選択されたことを示す操作入力を受け、
前記ユーザにより選択された前記副のストリームに対応する情報に対応する前記副のストリームを前記第２の表示画面における前記サブ画面で再生させ、前記主のストリームを前記第２の表示画面における前記メイン画面で再生させるためのコマンドを発生する
ステップを含む情報処理方法。
【請求項１８】
ストリームの再生を制御する処理を、コンピュータに実行させるプログラムにおいて、
前記ストリームの主の再生パスとは異なる１つまたは複数の副の再生パスに基づいて再生可能な副のストリームをユーザが把握するための補助となる第１の表示画面を表示させるために必要な情報の取得を制御し、
前記第１の表示画面を表示させるために必要な情報を基に、前記副のストリームに対応する情報が少なくとも１つ含まれるとともに、前記副のストリームに対応する情報には、メイン画面内にサブ画面が含まれる第２の表示画面において、前記副のストリームを前記サブ画面に再生させるとともに、前記主の再生パスに基づいて再生される主のストリームを前記メイン画面に再生させるためのコマンドが対応付けられている、前記第１の表示画面の表示を制御し、
前記ユーザにより前記副のストリームに対応する情報のうちのいずれかが選択されたことを示す操作入力を受け、
前記ユーザにより選択された前記副のストリームに対応する情報に対応する前記副のストリームを前記第２の表示画面における前記サブ画面で再生させ、前記主のストリームを前記第２の表示画面における前記メイン画面で再生させるためのコマンドを発生する
ステップを含む処理をコンピュータに実行させるプログラム。
【請求項１９】
再生装置において再生可能なストリームを含むデータ構造であって、
前記ストリームの主の再生パスと、前記主の再生パスとは異なる１つまたは複数の副の再生パスとを用いて前記ストリームの再生を管理する再生管理情報と、
前記主の再生パスに基づいて再生可能な主のストリームと、
前記副の再生パスに基づいて再生可能な副のストリームと、
前記副のストリームをユーザが把握するための補助となる第１の表示画面を表示させるために必要な情報と
を含み、
前記第１の表示画面には、前記副のストリームに対応する情報が少なくとも１つ含まれるとともに、前記副のストリームに対応する情報には、メイン画面内にサブ画面が含まれる第２の表示画面において、前記副のストリームを前記サブ画面に再生させるとともに、前記主の再生パスに基づいて再生される主のストリームを前記メイン画面に再生させるためのコマンドが対応付けられている
データ構造。
【請求項２０】
再生装置において再生可能なデータであって、再生装置において再生可能なストリームを含むデータが記録された記録媒体であって、
前記ストリームの主の再生パスと、前記主の再生パスとは異なる１つまたは複数の副の再生パスとを用いて前記ストリームの再生を管理する再生管理情報と、
前記主の再生パスに基づいて再生可能な主のストリームと、
前記副の再生パスに基づいて再生可能な副のストリームと、
前記副のストリームをユーザが把握するための補助となる第１の表示画面を表示させるために必要な情報と
を含み、
前記第１の表示画面には、前記副のストリームに対応する情報が少なくとも１つ含まれるとともに、前記副のストリームに対応する情報には、メイン画面内にサブ画面が含まれる第２の表示画面において、前記副のストリームを前記サブ画面に再生させるとともに、前記主の再生パスに基づいて再生される主のストリームを前記メイン画面に再生させるためのコマンドが対応付けられている
データが記録された記録媒体。
【手続補正２】
【補正対象書類名】明細書
【補正対象項目名】発明の名称
【補正方法】変更
【補正の内容】
【発明の名称】情報処理装置および情報処理方法、プログラム、データ構造、並びに記録媒体
【手続補正３】
【補正対象書類名】明細書
【補正対象項目名】０００１
【補正方法】変更
【補正の内容】
【０００１】
本発明は、情報処理装置および情報処理方法、プログラム、データ構造、並びに記録媒体に関し、特に、複数のビデオストリームが合成されて表示可能なようになされている場合に用いて好適な、情報処理装置および情報処理方法、プログラム、データ構造、並びに記録媒体に関する。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】変更
【補正の内容】
【００２２】
本発明の第２の側面のデータ構造、または、記録媒体に記録されたデータは、ストリームの主の再生パスと、前記主の再生パスとは異なる１つまたは複数の副の再生パスとを用いて前記ストリームの再生を管理する再生管理情報と、前記主の再生パスに基づいて再生可能な主のストリームと、前記副の再生パスに基づいて再生可能な副のストリームと、前記副のストリームをユーザが把握するための補助となる第１の表示画面を表示させるために必要な情報とが含まれ、前記第１の表示画面には、前記主の再生パスにより再生される主のストリームの画像データをメイン画面とし、前記副の再生パスにより再生される前記副のストリームの画像データを前記メイン画面の中に含まれるサブ画面とした第２の表示画面を縮小したサムネイル画像が含まれる。
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】変更
【補正の内容】
【００３２】
本発明の第４の側面のデータ構造、または、記録媒体に記録されたデータは、前記ストリームの主の再生パスと、前記主の再生パスとは異なる１つまたは複数の副の再生パスとを用いて前記ストリームの再生を管理する再生管理情報と、前記主の再生パスに基づいて再生可能な主のストリームと、前記副の再生パスに基づいて再生可能な副のストリームと、前記副のストリームをユーザが把握するための補助となる第１の表示画面を表示させるために必要な情報とが含まれ、前記第１の表示画面には、前記副のストリームに対応する情報が少なくとも１つ含まれるとともに、前記副のストリームに対応する情報には、メイン画面内にサブ画面が含まれる第２の表示画面において、前記副のストリームを前記サブ画面に再生させるとともに、前記主の再生パスに基づいて再生される主のストリームを前記メイン画面に再生させるためのコマンドが対応付けられている。
【手続補正８】
【補正対象書類名】明細書
【補正対象項目名】００５０
【補正方法】削除
【補正の内容】
【手続補正９】
【補正対象書類名】明細書
【補正対象項目名】００５８
【補正方法】削除
【補正の内容】
【手続補正１０】
【補正対象書類名】図面
【補正対象項目名】図３２
【補正方法】変更
【補正の内容】
【図３２】
2008005289.tif 000001